【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
患者の胸部大動脈弓に設置するためのステントグラフトにおいて、
管状本体であって、主ルーメンが前記管状本体を貫いて画定されていて、複数のジグザグ形ステントが前記管状本体に沿って配され、前記ステントのそれぞれは複数の支柱及び隣り合う支柱間にある複数の曲がりを備えている、管状本体と、
少なくとも第１のステント及び隣接する第２のステントであって、前記第１のステントの少なくとも一対の隣り合う曲がりが前記第２のステントの曲がりの隣接する対と整列し、それによって前記第１のステントの隣り合う支柱の第１の対と前記第２のステントの隣り合う支柱の第２の対が菱形領域を画定している、第１のステント及び第２のステントと、
前記菱形領域内の陥凹であって、グラフト材料の凹状部分によって画定され、前記管状本体の前記ルーメンの中へ延びていて、近位端を有している、陥凹と、
前記グラフト材料の凹状部分の開窓であって、前記菱形領域の前記陥凹内を前記管状本体の中へ開口している開窓と、
前記開窓から前記主ルーメンの中へ通じているグラフト管と、を備えているステントグラフト。
【請求項２】
前記開窓及び前記グラフト管は前記陥凹の前記近位端から延びている、請求項１に記載のステントグラフト。
【請求項３】
第３の隣接するステントであって、前記第２のステントに隣接する少なくとも一対の曲がりを有し、それによって、前記第３のステントの隣り合う支柱の第３の対が第２の菱形領域を画定している、第３の隣接するステントを更に備えており、
前記第２の菱形領域は前記第１の菱形領域と支柱を共有している、請求項１に記載のステントグラフト。
【請求項４】
前記ステントグラフトは、１つ、２つ、又は３つの菱形領域を備え、それぞれの菱形領域は、各々の陥凹、開窓、及びグラフト管を備えている、請求項１に記載のステントグラフト。
【請求項５】
前記ステントグラフトは、近位端及び遠位端を備えており、前記又はそれぞれのグラフト管は、前記主ルーメン内を前記ステントグラフトの前記近位端に向かって延びている、請求項１に記載のステントグラフト。
【請求項６】
前記曲がりと前記隣り合う支柱は４０度から８０度の範囲の夾角を画定している、請求項１に記載のステントグラフト。
【請求項７】
前記菱形領域より近位では前記管状本体は第１直径を有し、前記菱形領域より遠位では前記管状本体は第２直径を有し、前記管状本体の菱形領域の周りの領域では当該管状本体は第３直径を有しており、前記第１直径は前記第２直径より大きく、前記第１直径と前記第２直径はどちらも前記第３直径より大きく、それによって、中央領域が画定され、手術中は前記グラフト管を出て前記陥凹の中へそして前記中央領域への少なくとも部分的な周方向の血流が許容されることになる、請求項１に記載のステントグラフト。
【請求項８】
前記ステントはニチノールから形成されている、請求項１に記載のステントグラフト。
【請求項９】
前記又はそれぞれのグラフト管は立体骨組の形態をした補強材を備えている、請求項１に記載のステントグラフト。
【請求項１０】
前記立体骨組は円筒形部分を備えており、前記円筒形部分は軸方向に離間された第１の円形リング部分及び第２の円形リング部分と、前記第１の円形リング部分と前記第２の円形リング部分の間を延びる少なくとも２つの支柱とを備えており、前記グラフト管は前記立体骨組を取り巻いている、請求項９に記載のステントグラフト。
【請求項１１】
前記円筒形部分は、２つの個別の支柱付きリング型構成要素から成る組立体を備えており、それぞれの支柱付きリング型構成要素は、前記円形リング部分の平面を画定している円形リング部分と、前記円形リング部分の平面に直角に前記円形リング部分の周辺から延びる支柱と、を備えている、請求項１０に記載のステントグラフト。
【請求項１２】
患者の胸部大動脈弓に設置するためのステングラフトにおいて、
管状本体であって、主ルーメンが前記管状本体を貫いて画定されていて、複数のジグザグ形ステントが前記管状本体に沿って配され、前記ステントのそれぞれは複数の支柱及び隣り合う支柱間にある複数の尖又は曲がりを備えている、管状本体と、
外周を有する、前記管状本体の成形陥凹であって、前記外周は、少なくとも部分的には、第１のステントの２つの隣り合う支柱と第２の隣接するステントの２つの隣り合う支柱のところに形成されており、
前記成形陥凹は、グラフト材料の凹状部分によって画定され、前記管状本体の前記ルーメンの中へ延びていて、近位端を有している、成形陥凹と、
前記グラフト材料の凹状部分の開窓であって、前記成形陥凹内を前記管状本体の中へ開口している開窓と、
前記開窓から前記主ルーメンの中へ通じているグラフト管と、を備えているステントグラフト。
【請求項１３】
前記開窓及び前記グラフト管は前記成形陥凹の前記近位端から延びている、請求項１２に記載のステントグラフト。
【請求項１４】
第２の外周によって画定されている、前記管状本体の第２の成形陥凹であって、前記第２の外周は、少なくとも部分的には、前記第２のステントの２つの隣り合う支柱と第３の隣接するステントの２つの隣り合う支柱のところに形成されている、第２の成形陥凹を更に備えている、請求項１２に記載のステントグラフト。
【請求項１５】
前記ステントグラフトは、近位端と遠位端を備えており、前記又はそれぞれのグラフト管は前記主ルーメン内を前記ステントグラフトの前記近位端へ向かって延びている、請求項１２に記載のステントグラフト。
【請求項１６】
前記曲がりと前記隣り合う支柱は４０度から８０度の範囲の夾角を画定している、請求項１に記載のステントグラフト。
【請求項１７】
前記ステントはニチノールから形成されている、請求項１２に記載のステントグラフト。
【請求項１８】
前記又はそれぞれのグラフト管は立体骨組の形態をした補強材を備えている、請求項１２に記載のステントグラフト。
【請求項１９】
前記立体骨組は円筒形部分を備えており、前記円筒形部分は軸方向に離間された第１の円形リング部分及び第２の円形リング部分と、前記第１の円形リング部分と前記第２の円形リング部分の間を延びる少なくとも２つの支柱とを備えており、前記グラフト管は前記立体骨組を取り巻いている、請求項１８に記載のステントグラフト。
【請求項２０】
前記円筒形部分は、２つの個別の支柱付きリング型構成要素から成る組立体を備えており、それぞれの支柱付きリング型構成要素は、円形リング部分の平面を画定している円形リング部分と、前記円形リング部分の平面に直角に前記円形リング部分の周辺から延びる支柱と、を備えている、請求項１９に記載のステントグラフト。
【請求項２１】
患者の胸部大動脈弓に設置するための、近位端と遠位端を有するステントグラフトにおいて、
管状本体であって、主ルーメンが前記管状本体を貫いて画定されていて、複数のジグザグ形ステントが前記管状本体に沿って配され、前記ステントのそれぞれは複数の支柱及び隣り合う支柱間にある複数の曲がりを備えている、管状本体と、
少なくとも第１のステント及び隣接する第２のステントであって、前記第１のステント側の少なくとも一対の隣り合う曲がりが前記第２のステント側の曲がりの隣接する対と整列し、それによって前記第１のステントの隣り合う支柱の第１の対と前記第２の隣接するステントの隣り合う支柱の第２の対が菱形領域を画定している、第１のステント及び第２のステントと、
前記菱形領域の陥凹であって、グラフト材料の凹状部分によって画定され、前記管状本体のルーメンの中へ延びていて、近位端を有している、陥凹と、
前記グラフト材料の凹状部分の開窓であって、前記菱形領域の前記陥凹内を前記管状本体の中へ開口している開窓と、
前記開窓から前記主ルーメンの中へ通じているグラフト管であって、前記開窓と前記グラフト管は前記陥凹の前記近位端から前記ステントグラフトの前記近位端に向かって延びている、グラフト管と、を備えているステントグラフト。
【手続補正２】
【補正対象書類名】明細書
【補正対象項目名】００１１
【補正方法】変更
【補正の内容】
【００１１】
故に、１つの形態では、本発明は、患者の胸部大動脈弓に設置するためのステントグラフトにおいて、
管状本体であって、主ルーメンが管状本体を貫いて画定されていて、複数のジグザグ形ステントが当該管状本体に沿って配され、ステントのそれぞれは複数の支柱及び隣り合う支柱間にある複数の曲がりを備えている、管状本体と、
少なくとも第１のステント及び隣接する第２のステントであって、第１のステントの少なくとも一対の隣り合う曲がりが第２のステントの曲がりの隣接する対と整列し、それによって第１のステントの隣り合う支柱の第１の対と第２の隣接するステントの隣り合う支柱の第２の対が菱形領域を画定している、第１のステント及び第２のステントと、
菱形領域の陥凹であって、グラフト材料の凹状部分によって画定され、管状本体の主ルーメンの中へ延びていて、近位端を有している、陥凹と、
グラフト材料の凹状部分の開窓であって、菱形領域の陥凹内を管状本体の中へ開口している開窓と、
開窓から主ルーメンの中へ通じているグラフト管と、を備えているステントグラフトに存すると言える。
【手続補正３】
【補正対象書類名】明細書
【補正対象項目名】００３３
【補正方法】変更
【補正の内容】
【００３３】
更なる代わりの形態では、本発明は、患者の胸部大動脈弓に設置するためのステントグラフトにおいて、
管状本体であって、主ルーメンが管状本体を貫いて画定されていて、複数のジグザグ形ステントが当該管状本体に沿って配され、ステントのそれぞれは複数の支柱及び隣り合う支柱間にある複数の曲がりを備えている、管状本体と、
少なくとも第１のステント及び隣接する第２のステントであって、第１のステントの少なくとも一対の隣り合う曲がりが第２のステントの曲がりの隣接する対と整列し、それによって第１のステントの隣り合う支柱の第１の対と第２の隣接するステントの隣り合う支柱の第２の対が菱形領域を画定している、第１のステント及び第２のステントと、
菱形領域の陥凹であって、グラフト材料の凹状部分によって画定され、管状本体のルーメンの中へ延びていて、近位端を有している、陥凹と、
グラフト材料の凹状部分の開窓であって、菱形領域の陥凹内を管状本体の中へ開口している開窓と、
開窓から主ルーメンの中へ通じているグラフト管であって、開窓とグラフト管は陥凹の近位端からステントグラフトの近位端に向かって延びている、グラフト管と、を備えているステントグラフトに存すると言える。
【手続補正４】
【補正対象書類名】明細書
【補正対象項目名】００４３
【補正方法】変更
【補正の内容】
【００４３】
隣接するステント６４及び６６は、菱形領域７６ａを画定するように配置されている。菱形は、図１に明瞭に示されているように、ステント６４の一対の遠位曲がり６４ｂ及び６４ｄがステント６６の一対の近位曲がり６６ｂ及び６６ｄと整列していることで現れる。ステント６４の隣り合う支柱６４ｂ’と６４ｃ’の第１の対と隣接するステント６６の隣り合う支柱６６ｂ’と６６ｃ’の第２の対が菱形領域７６ａを画定している。